(57)【特許請求の範囲】
【請求項１】
平面方形状の載置板の上下面を容器を載置可能に形成するとともに、前記載置板の四隅に前記載置板から上下方向に突出する支柱を突設したことを特徴とする両面使用可能な容器陳列棚。
【請求項２】
前記載置板の上面と下面とで容器を載置する載置面の形状を異ならしめたことを特徴とする請求項１記載の両面使用可能な容器陳列棚。
【請求項３】
前記支柱の突出部を上下方向において長さ寸法を異ならしめたことを特徴とする請求項１または請求項２記載の両面使用可能な容器陳列棚。
【請求項４】
上記支柱の上下面に嵌着可能な連結材を介して上下方向に段積み可能としたことを特徴とする請求項１ないし請求項３のいずれか１項に記載の両面使用可能な容器陳列棚。
【発明の詳細な説明】
【０００１】
【発明の属する技術分野】
この発明は、壜、紙パック、ペットボトル（合成樹脂製の壜）等（以下、単に容器という）を保管、運搬したり、陳列する際に使用する両面使用可能な容器陳列棚に関する。
【０００２】
【従来の技術】
コーラ、ジュース、清涼飲料等は、容器に包装されて流通している。これらの容器を保管、運搬したり、陳列する際には、合成樹脂製の容器陳列棚が用いられている。これらの容器陳列棚の一例を上げれば、実公平５ー１８２６４号公報に記載されているような「壜用パレット」がある。これらの壜用パレットは、ペットボトルの底部を嵌合部に嵌合して直立整列させ、この直立したペットボトルの上部に別の壜用パレットを載せるとともに、底面の嵌合部にペットボトルの上部を嵌合させて積み重ねるようにしたものである。
【０００３】
すなわち、前記壜用パレットは、合成樹脂製プレートの上面に島状に形成された複数の凸部で囲まれた凹部を壜底部の嵌合部となし、合成樹脂製プレートの下面に前記嵌合部の位置に対応させて成形された円形突状を壜頭部の嵌合部となし、前記合成樹脂製プレートの周縁下側に向かって下向鍔を形成し、かつ前記複数の凸部のうち、合成樹脂製プレートの周縁部の凸部の外側に前記下向鍔が係合する嵌合段部を形成し、一方の壜用パレットの前記円形突状を他方の壜用パレットの前記凹部に遊嵌させたとき、前記下向鍔が前記嵌合段部に当接することを特徴とするものである。
【０００４】
【発明が解決しようとする課題】
上記構成の壜用パレットは、ペットボトルの上下部に嵌合できる突状を設けたので、並列及び積み重ねを安定にして陳列または運搬時の荷崩れを防止できる。また、複数の壜用パレットは互いに嵌合させてほぼ隙間なく重ねられるのでコンパクトでかつ荷崩れのおそれがない等の効果を奏する。しかしながら、ペットボトルを支柱代わりに利用して壜用パレットを積み重ねるものであるから、実際の使用上では次のような問題がある。
【０００５】
従来の壜用パレットでは、ペットボトルの頭部を壜用パレットの下面に形成した円形突状による嵌合部に嵌合させる構成であるために、ペットボトルの取り出しは最上段の壜用パレットに載置されているペットボトルからしか取り出すことができない。また、当然ながら、ペットボトルの入れ替えも最上段の壜用パレットに載置されているペットボトルしか行うことができない。即ち、ペットボトルの取り出しは最上段から順に段を崩しながら行うしかなかった。
【０００６】
このために、店頭において陳列する際に、清涼飲料やジュース等の種類が多いとその種類数だけの段積みの列を設けなければならず、それだけ広い陳列面積を必要とするとともに、不経済である。また、１〜２本しか残っていない場合にも１つの壜用パレットをそのまま入れ換えなければならないから、完全に空になってから入れ換えるか、入れ換えた壜用パレットの前方に残っている数本のペットボトルを陳列しておく等の方法しかなかった。
【０００７】
また、従来のように複数の列で段積みしてあると、陳列場所を配置換えする場合にも運搬に手間がかかり、簡単に移動できなという問題がある。さらに、従来の壜用パレットは下面を壜頭部に載置して積み重ねる構成であるために、壜を載置するのは上面のみに限られ、裏返して裏面をペットボトルの載置面として使用することはできなかった。この発明は、かかる現況に鑑みてなされたもので、段積みの中間においても容器を自由に取り出したり、入れ替えができるようになし、したがって、複数の種類の清涼飲料やジュースを同じ列に段積みできるようにした容器陳列棚を提供することを目的とするものである。
【０００８】
【課題を解決するための手段】
この発明は上記目的を達成するために次のような構成とした。即ち、この発明の請求項１に係る両面使用可能な容器陳列棚は、平面方形状の載置板の上下面を容器を載置可能に形成するとともに、前記載置板の四隅に前記載置板から上下方向に突出する支柱を突設したことを特徴とする。また、請求項２に係る両面使用可能な容器陳列棚は、前記載置板の上面と下面とで容器を載置する載置面の形状を異ならしめたことを特徴とする。また、請求項３に係る両面使用可能な容器陳列棚は、前記支柱の突出部を上下方向において長さ寸法を異ならしめたことを特徴とする。また、請求項４に係る両面使用可能な容器陳列棚は、上記支柱の上下面に嵌着可能な連結材を介して上下方向に段積み可能としたことを特徴とする。
【０００９】
【発明の実施の形態】
以下に、図示する実施形態について詳細に説明する。図１は、第１実施形態を示すペットボトル用陳列棚の説明用上面斜視図であって、両面使用可能な陳列棚を示す。平面方形状のペットボトル用陳列棚１は、方形状の載置板３の四隅に上下方向に突出する支柱５を設け、前記載置板３の上面の載置面には、載置したペットボトルの底部を嵌合する嵌合部７が設けられており、下面の載置面には同じく載置したペットボトルの底部を嵌合する嵌合部７ａが設けられている。図１は載置板３の上面の嵌合部７を示しており、載置板３の側面と平行な仕切板９、１０の交点に上面が開口した中空状の略四角形凸部１１を立設し、仕切板の端部には上面が開口した中空状の略三角形凸部１３を立設してなる。
【００１０】
これらの凸部１１、１３及び支柱５によって囲まれた空間をペットボトルの底部を嵌合する嵌合部７としている。前記略四角形凸部１１、略三角形凸部１３の嵌合したペットボトルと接する側面は、ペットボトルを確実に収納することができるように同一曲率で湾曲していることが好ましい。図示する実施形態では、２０本のペットボトルが嵌合可能である。
【００１１】
図２は陳列棚１の下面の載置面の構成を示し、上面の載置面に比して大型のペットボトルを載置できるように嵌合部７ａのピッチは大きく形成されている。即ち、上面が開口した中空状の略四角形凸部１１ａと、載置板３の側端縁に位置し上面が開口した中空状の略三角形凸部１３ａによって囲まれた空間をペットボトルの底部を嵌合する嵌合部７ａとしている。前記略四角形凸部１１ａ、略三角形凸部１３ａの嵌合したペットボトルと接する側面は、ペットボトルを確実に収納することができるように同一曲率で湾曲していることが好ましい。
【００１２】
図示する実施形態では、１２本のペットボトルが嵌合可能である。また、前記略四角形凸部１１、略三角形凸部１３及び前記略四角形凸部１１ａ、略三角形凸部１３ａの内部の載置板には、図示するのを省略したが、小孔を穿設しておくことが好ましい。小孔を穿設した場合には、雨水、洗浄水等が溜まることなく排水されるから衛生的である。また、上記実施形態では、略四角形凸部と略三角形凸部により嵌合部を形成したが、載置面の形状は前記凸部に代えた仕切板により形成した区室を嵌合部としてもよい。
【００１３】
前記支柱５は、載置したペットボトルが接する内面はペットボトルとほぼ同一の曲率で湾曲した中空構造体であって断面略三角形状に形成されており、上下面は開口している。陳列棚１は、前記開口面に別途成形した連結材を嵌着して上下に連結しながら段積みして使用される。支柱５の一方の端部は他方の端部よりも載置板３からの長さ寸法が大きく形成されている。図１及び図２に示す実施形態では、上面側の突出部１５を下面側の突出部１７よりも短く形成されているが、突出部１５は載置するペットボトルの高さ寸法の半分よりも大きく形成されている。従って、突出部１５同士を連結材を介して連結したときに、載置したペットボトルの頭部と上段の陳列棚の下向きとなった略四角形凸部１１、略三角形凸部１３との間に間隙を形成することができ、ペットボトルを自由に出し入れすることができる。
【００１４】
図３は、陳列棚１の支柱５を連結する連結材であって、連結材２０は、前記支柱５とほぼ相似形であって断面略三角形状に形成された中空体２１の外周面に係止用フランジ２３を設け、前記係止用フランジ２３の両側に挿入部２５、２７を形成してなる。前記挿入部２５、２７は、例えば、挿入部２５を下段の陳列棚の支柱５の突出部１５の上面開口に嵌合させ、挿入部２７を上段の陳列棚の支柱５の突出部１７の下面開口に嵌合させると、突出部１５、１７は係止用フランジ２３に当接して連結される。このように、複数の陳列棚１を連結材２０を介して縦方向に積み重ねることによって、陳列または保管、運搬の際にも荷崩れが防止される。
【００１５】
次に、前記支柱５の下面に取り付けるキャスター部３０について説明する。キャスター部３０は、図４に示すように、キャップ材３１とキャスター３３とからなる。前記キャップ材３１は、支柱５の下面開口に着脱自在に嵌着される挿入部３５の一方の端面を底板３７で閉じることによって形成されている。前記挿入部３５の略中央部には、前記底板３７に開口している円筒体３９が配設されている。前記底板３７の周縁は、挿入部３５の周縁から突出した突出部３７ａとされており、挿入部３５を支柱５に嵌着したとき突出部３７ａが支柱５の下面に当接する。キャスター３３には、固定杆３３ａが突設されており、前記固定杆３３ａを円筒体３９に嵌入することによって取り付けられる。
【００１６】
上記のように、最下段の陳列棚に上記キャスター部３０を取り付けた場合には、移動が可能であり陳列の配置替え等を容易に行うことができる。尚、前記底板３７を省略し、挿入部３５の一方端縁に係止用フランジを形成してもよい。また、上記キャスター部３０自体を省略することが可能である。
【００１７】
図５は、陳列棚の他の実施形態の一部を切り欠いた上面斜視図である。陳列棚４０は、上記実施形態の陳列棚１とは載置板の載置面の形状は異なるが、四隅の支柱５は同じであるので支柱５の説明は省略する。方形状の載置板４１は、四隅の支柱５を連結する側板４３の内側にボード４５を一体に設けてなる。前記ボード４５は側板４３の略中間高さ位置に設けられており、側板４３はボード４５周縁部の枠体を形成している。ボード４５の一方の面には十字状の仕切板４７によって４つの区室が形成されているが、他方の面は側板４３による枠体のみによって形成されている。前記仕切板４７は載置したペットボトルの摺動を防止するとともに、補強リブとして機能する。
【００１８】
上記実施形態のように、載置したペットボトルを嵌合する嵌合部を複数本を嵌合できるようにし、あるいは全体を１つの嵌合部とした場合には、大きさの異なるペットボトルを混在させることができる。
【００１９】
図６はさらに他の実施形態を示し、陳列棚５０は、方形状の載置板５１の四隅に上下方向に突出する支柱５３を設け、前記載置板５１の上面の載置面には、載置したペットボトルの底部を嵌合する嵌合部５５が設けられ、載置板５１の周縁には下向きの側板５７が設けられている。前記嵌合部５５は、略八角形凸部５９と載置板周縁部に位置する略五角形凸部６０によって囲まれた空間であり、前記略八角形凸部５９と略五角形凸部６０は、上面が開口した中空状体である。この実施形態では、２０本のペットボトルを載置することができる。
【００２０】
載置板５１の下面は図５の実施形態における下面と同様に平面に形成されており、周縁部は側板５７によって縁取られている。従って、ペットボトルは互いに当接しながら並列する。このようにペットボトルを仕切る凸部や仕切板を設けていないために複数の大きさのペットボトルを載置することができる。
【００２１】
前記支柱５３の断面形状は支柱５と同様であるが、一方端部に連結用突起６１を形成した点において異なる。即ち、図６に明らかなように、支柱５３は、下面が開口した中空構造体であって断面略三角形状に形成されており、連結用突起６１が上面に形成した段部６３をもって一体に突設されている。陳列棚同士を積み重ねたとき、下段の陳列棚の連結用突起６１が上段の陳列棚の支柱５３の下面開口に嵌合する。前記支柱５３も支柱５と同様に、一方の端部を他方の端部よりも載置板５１からの長さ寸法を大きく形成しており、上面側の突出部６５を下面側の突出部６７よりも大きく形成している。
【００２２】
上記陳列棚５０の支柱５３は突出部６７の端面を開口させ突出部６５の端部に連結用突起６１を設けたから、前記突出部６７の開口に他の陳列棚の連結用突起６１を嵌入することによって段積みすることができる。また、突出部６７を向かい合わせて段積みする場合には、上記連結材２０を用いて連結することができる。また、突出部６５を向かい合わせて段積みする場合には、図７に示すような連結材６９を用いればよい。連結材６９は支柱５３と同じ断面形状に形成されており、内部に設けた仕切板７０によって両端に開口するソケット部７１、７３が形成されている。
【００２３】
上記連結材６９を用いて陳列棚５０を段積みする場合には、下段の陳列棚５０の連結用突起６１をソケット部７１に嵌合させ、次いで、上段の陳列棚５０の突出部６５を下向きにして連結用突起６１をソケット部７３に嵌合させればよい。このとき、上段の陳列棚の突出部６７は上向きになるから、さらに三段目の陳列棚は突出部６５の連結用突起６１を下向きにして嵌合させるか、連結材２０を用いて突出部６７を連結すればよい。このように、複数の陳列棚を連結材２０及び連結材６９を介して縦方向に積み重ねることができ、陳列または保管、運搬の際の荷崩れが防止される。
【００２４】
尚、上記実施形態では、支柱はいずれも断面略三角形状の中空構造体としたが、断面形状は三角形状に限定されるものではなく、円形、半円形、楕円形、四角形、その他の多角形等任意の断面形状とすることができる。このとき、連結材２０、６９も支柱の開口形状に合わせて変更することは勿論である。また、支柱の上部突出部と下部突出部の上下方向における長さ寸法は、収納する容器の高さによって適宜決定することができる。
【００２５】
次に、上記構成のペットボトル用陳列棚の使用方法について説明する。まず、図８に示すように、キャスター部３０を用いる場合には、下段の陳列棚の支柱にキャップ材３１を嵌合させてキャスター３３を取り付ける。次いで、載置板にペットボトルを載置、並列させ、四隅の支柱５に例えば連結材２０を嵌着し、次いで、上段の陳列棚の支柱５に前記連結材２０を嵌着させて立設すればよい。連結材２０を介して連結された下段の陳列棚の上部の突出部と下段の陳列棚の下部の突出部との高さ寸法は、載置されるペットボトルの高さ寸法よりも大きいから、上段の陳列棚の載置板の下面とペットボトルの頭部との間には間隙が形成される。この間隙によって、段積みした場合でも下段の陳列棚に載置したペットボトルを容易に出し入れすることができる。尚、上記実施形態では説明の便宜上ペットボトル用陳列棚として説明したが、陳列する容器はペットボトルに限定されるものではなく、壜、缶、紙パック等の容器を任意に陳列することができる。
【００２６】
【発明の効果】
この発明にかかる容器陳列棚によれば、従来の壜用パレットと同様に容器を安定して載置できるとともに、載置板の上下面を使用可能としたから、上下面で種類の異なる容器を載置することができる。また、四隅における支柱の上下方向の突出部の長さを異ならしめた場合には一層汎用性を持たせることができる。ることと相まって、そして、上段の陳列棚の載置板の下面と下段の陳列棚に載置された容器との間に間隙を設けたから、段積みしたまま容易に下段の容器を出し入れすることができる。従って、店頭において陳列する際に常に新鮮な飲料の陳列ができるばかりでなく、清涼飲料やジュース等の種類が多い場合でも種類の異なる容器を載置した陳列棚を相互に段積みしたり、１つの陳列棚に複数の種類の容器を陳列することが可能である。このように、種類が異なる容器を載置した陳列棚ごとに段積みした列を設ける必要がないから、陳列場所を有効に利用することができる。また、載置板の上下面を選択して使用することによって、陳列棚の一層の有効利用を図ることができる。
【図面の簡単な説明】
【図１】この発明の第１実施形態の容器陳列棚の説明用上面斜視図である。
【図２】上記実施形態の下面の一部を示す上面斜視図である。
【図３】連結材の上面斜視図である。
【図４】キャスター部を示す展開斜視図である。
【図５】第２実施形態の容器陳列棚の説明用上面斜視図である。
【図６】第３実施形態の容器陳列棚の説明用上面斜視図である。
【図７】連結材の他の例を示す断面斜視図である。
【図８】段積み状態を示す説明用要部正面図である。
【符号の説明】
１  容器陳列棚
３  載置板
５  支柱
７、７ａ  嵌合部
９、１０  仕切板
１１、１１ａ  略四角形突部
１３、１３ａ  略三角形突部
１５、１７  突出部
２０  連結材
２１  中空体
２３  係止用フランジ
２５、２７  挿入部
３０  キャスター部
３１  キャップ材
３３  キャスター
３３ａ  固定杆
３５  挿入部
３７  底板
３７ａ  突出部
３９  円筒体
４０  陳列棚
４１  載置板
４３  側板
４５  ボード
４７  仕切板
５０  陳列棚
５１  載置板
５３  支柱
５５  嵌合部
５７  側板
５９  略八角形突部
６０  略五角形突部
６１  連結用突起
６３  段部
６５、６７  突出部
６９  連結材
７０  仕切板
７１、７３  ソケット部
【図１】
0003815582.tif 000002
【図２】
0003815582.tif 000003
【図３】
0003815582.tif 000004
【図４】
0003815582.tif 000005
【図５】
0003815582.tif 000006
【図６】
0003815582.tif 000007
【図７】
0003815582.tif 000008
【図８】
0003815582.tif 000009